(57)【特許請求の範囲】
【請求項１】
Ｈ型鋼などの梁（２）（２６）に金属パネルなどの外囲板（２２）（３２）を取り付けて屋根などを構成するための建築物用外囲体において、前記梁（２）（２６）の上位水平部の上面に中空の角パイプから成る長尺保持体（６）（３４）を配置し、この長尺保持体（６）（３４）の側壁部に穴（８）（３６）を設け、該長尺保持体（６）（３４）の下位水平部と前記梁（２）（２６）の上位水平部とを側面形状が略Ｃ型の挟持体（１０）によって挟み付けて、前記長尺保持体（６）（３４）を前記梁（２）（２６）に固定し、前記長尺保持体（６）（３４）に外囲板（２２）（３２）を取り付け、前記挟持体（１０）を両端部（１０ａ）（１０ｂ）が所定の間隔を存して対向し、大きな弾性強度を有する金属材により構成し、前記挟持体（１０）の両端部を前記長尺保持体（６）（３４）の下位水平部と前記梁（２）（２６）の上位水平部との接合部に前記穴（８）（３６）を介して押し込んだことを特徴とする建築物用外囲体。
【請求項２】
Ｈ型鋼などの梁（２）（２６）の上位水平部の上面に中空の角パイプから成る長尺保持体（６）（３４）を配置し、この長尺保持体（６）（３４）の側壁部に穴（８）（３６）を設け、該長尺保持体（６）（３４）の下位水平部と前記梁（２）（２６）の上位水平部とを、側面形状が略Ｃ型の挟持体（１０）によって挟み付け、前記長尺保持体（６）（３４）を前記梁（２）（２６）に固定し、前記挟持体（１０）を、両端部（１０ａ）（１０ｂ）が所定の間隔を存して対向し、大きな弾性強度を有する金属材により構成し、前記挟持体（１０）の両端部を前記長尺保持体（６）（３４）の下位水平部と前記梁（２）（２６）の上位水平部との接合部に前記穴（８）を介して押し込んだことを特徴とする建築物用下地材。
【発明の詳細な説明】
【０００１】
【発明の属する技術分野】
本発明はＨ型鋼などの梁を構成要素とする、外囲板を取り付け支持するための下地材及びこの下地材を用いた屋根、外壁などの外囲体に関する。
【０００２】
【従来技術】
Ｈ型鋼などの梁を下地材とし、この下地材に金属パネルを取り付けて屋根や外壁などの外囲体を構成した建築物は従来知られている。
【０００３】
【発明が解決しようとする課題】
Ｈ型鋼などの梁は、強度の大きな鋼材を使用しているため、これにビスなどを捩じ込むことができない。そのため、梁に、ビスなどを取り付けることができる長尺の保持体を固定しておき、この保持体に吊り金具やタイトフレームなどのパネル取付金具をビス止めしている。また、梁の接合部には、継ぎ板に取り付けたボルトが梁の上位水平部の上面から突出してしまう。梁の上面は取付面を構成するため、この取付面は、同一平面であることが望ましい。そのため、梁の上面に、同一取付平面を形成するため、長尺の保持体を固定し、この保持体の上面に、タイトフレームなどのパネル取付金具をビス止めしている。上記保持体は、梁に溶接によって固定しているが高所でのこの溶接作業が容易でなく作業性が悪いという問題点が存した。
本発明は上記問題点を解決することを目的とするものである。
【０００４】
【課題を解決するための手段】
上記目的を達成するため、本発明は、Ｈ型鋼などの梁２，２６に金属パネルなどの外囲板２２，３２を取り付けて屋根などを構成するための建築物用外囲体において、前記梁２，２６の上位水平部の上面に中空の角パイプから成る長尺保持体６，３４を配置し、この長尺保持体６，３４の側壁部に穴８，３６を設け、該長尺保持体６，３４の下位水平部と前記梁２，２６の上位水平部とを側面形状が略Ｃ型の挟持体１０によって挟み付けて、前記長尺保持体６，３４を前記梁２，２６に固定し、前記長尺保持体６，３４に外囲板２２，３２を取り付け、前記挟持体１０を両端部１０ａ，１０ｂが所定の間隔を存して対向し、大きな弾性強度を有する金属材により構成し、前記挟持体１０の両端部を前記長尺保持体６，３４の下位水平部と前記梁２，２６の上位水平部との接合部に前記穴８，３６を介して押し込んだものである。
【０００５】
【発明の実施の形態】
以下に本発明の実施の形態を添付図面を参照して詳細に説明する。
図１において、２は鉄骨建築物の屋根下地材を構成する梁であり、Ｈ型鋼などから構成されている。前記梁２は、図４に示すように、骨組材である支持体４に固定されている。前記梁２の上位水平面上には、断面が略Ｏ型やＣ型などの角パイプから成る長尺保持体６が載置されている。
【０００６】
この保持体６は、ビスなどを捩じ込むことが可能な薄さを有する鋼材や或いはアルミニウムなどの金属材によって構成されている。前記長尺保持体６は、上位水平部６ａ，両側壁部６ｂ，６ｂ、下位水平部６ｃとから構成されている。前記長尺保持体６の両側壁部６ｂ，６ｂの所定の箇所には、取付用の穴８が穿設されている。
【０００７】
１０は側面形状がＣ型の挾持体であり、両端部１０ａ，１０ｂが所定の間隔を存して対向し、大きな弾性強度を有する金属材から構成されている。前記挾持体１０は、その一端１０ａが前記長尺保持体６の穴８に挿入され、挾持体１０の両端１０ａ，１０ｂは、保持体６の下位水平部６ｃの上面と、梁２の上位水平部２ａの下面に圧接している。
【０００８】
前記挟持体１０の両端部１０ａ，１０ｂの圧接挟持力によって、前記長尺保持体６は、梁２に固定されている。前記梁２の上位水平部２ａと、保持体６の下位水平部を挟持体１０の両端部で挟み、保持体６を、梁２の上位水平部２ａに固定する作業は、挟持体１０の両端部を、保持体６の下位水平部６ｃと梁２の上位水平部２ａとの接合部に押し込むことによって簡単に行うことができる。
【０００９】
前記長尺保持体６には、吊り金具１２が嵌合配置され、該吊り金具１２は、ビスによって、長尺保持体６の上位水平部６ａに固定されている。前記吊り金具１２は、保持体６に密嵌させるための嵌合部１２ａと、該嵌合部１２ａの左右に延びる板状の取付部１２ｂ，１２ｂとから構成されている。
【００１０】
１４は長尺帯状の鋼板などから成る下地パネルであり、該パネル１４は、複数、梁２間に、これらに対して直角方向に向いて同一平面上に並列配置されている。前記各下地パネル１４は、図５に示すように、断面形状が略コ字状に構成されている。各下地パネル１４は、図５中、紙面垂直方向に延びる帯状平板部１４ａと、その両側に形成された、立ち上り部１４ｂ，１４ｃと、該立ち上り部１４ｂ，１４ｃのうちの一方の立ち上り部１４ｂの上端に、内側に向けて水平方向に屈折された所定幅の内側平面部１４ｄと、他方の立ち上り部１４ｃの上端に、外側に向けて水平方向に屈折された外側平面部１４ｅと、該外側平面部１４ｅと連続して下向きに屈折された係合部１４ｅ’とを備えている。
【００１１】
各下地パネル１４は、図５に示すように、互いに隣接する立ち上り部１４ｂ，１４ｃどうしが当接し、且つ、互いに隣接する内側平面部１４ｄと外側平面部１４ｅが重なり合い、係合部１４ｅ’が平面部１４ｄと係合している。各下地パネル１４の、互いに当接する立ち上り部１４ｂ，１４ｃは、ねじ１６によって吊り金具１２の取付部１２ｂに固定されている。
【００１２】
１８は下地ボードであり、下地パネル１４上に支持されている。２０は、雨水を案内するガターであり、下地ボード１８に形成された溝部に嵌合配置されている。２２は複数の屋根用の外囲板であり、金属パネルから構成されている。各外囲板２２は下地ボード１８上に展開配置されている。
【００１３】
各外囲板２２の側部は、図４に示すように、ガター２０上で、結合金具２４により、ガター２０に取り付けられている。
次に本発明の他の実施の形態を図６乃至図８を参照して説明する。２６は鉄骨建築物のＨ型鋼などの梁であり、通常、複数本のＨ型鋼が同軸上に接合されている。
【００１４】
Ｈ型鋼の接合部は、図８に示すように、継ぎ板２８とボルト３０によって補強されている。継ぎ板２８は、梁２６の上位水平部２６ａの上面と、垂直部２６ｂの両側面に配置される。３４は梁２６の上位水平部２６ａの上を同一平面として、屋根板などの金属パネルから成る外囲板３２を取り付け易くするための長尺保持体であり、断面がＣ型の角パイプから構成されている。
【００１５】
長尺保持体３４の両側壁部には穴３６が形成され、該穴３６に挾持体１０を挿入し得るように構成されている。梁２６の上位水平部２６ａと、長尺保持体３４の下位水平部３４ａ，３４ｂとは、挾持体１０の締付力によって挾圧され、この挾圧力によって、長尺保持体３４は、梁２６上に固定される。梁２６上の、継ぎ板２８を挾んだ複数の長尺保持体３４の上面は、同一平面を構成する。
【００１６】
梁２６の上位水平部２６ａに配置された継ぎ板２８から突出するボルト３０の上端は、長尺保持体３４の上面より下位に設定されている。上記長尺保持体３４を梁２６上に固定する作業は、挾持体１０の一端部を、長尺保持体３４の穴３６に押し込む。これにより、挾持体１０の両端が長尺保持体３４の下位水平部３４ａ，３４ｂと梁２６の上位水平部２６ａを挾み付け、長尺保持体３４は、梁２６に固定される。図６において、外囲板３２を構成する金属パネルは、タイトフレーム３８を介して、長尺保持体３４に固定されている。
【００１７】
【効果】
本発明は上述の如く、梁に、ビス止め取り付け用の保持体を、溶接を行うことなく簡単に固定できるようにしたので、高所での保持体固定作業を効率良く行うことができる。
【図面の簡単な説明】
【図１】梁に長尺保持体を固定した状態の外観図である。
【図２】梁と長尺保持体との結合状態を示す断面図である。
【図３】挾持体の外観図である。
【図４】本発明である外囲体の正面断面図である。
【図５】外囲体の側面断面図である。
【図６】本発明の他の実施の形態を示す外観図である。
【図７】図６に示す実施の形態の梁と保持体の結合状態を示す拡大外観図である。
【図８】梁の結合部を示す拡大外観図である。
【符号の説明】
２      梁
４      支持体
６      保持体
６ａ    上位水平部
６ｂ    側壁部
６ｃ    下位水平部
８      穴
１０    挾持体
１２    吊り金具
１２ａ  嵌合部
１２ｂ  取付部
１４    下地パネル
１４ａ  帯状平板部
１４ｂ  立ち上り部
１４ｃ  立ち上り部
１４ｄ  内側平面部
１４ｅ  外側平面部
１４ｅ’  係合部
１６    ねじ
１８    下地ボード
２０    ガター
２２    外囲板
２４    結合金具
２６    梁
２８    継ぎ板
３０    ボルト
３２    外囲板
３４    長尺保持体
３６    穴
３８    タイトフレーム
【図１】
0003574983.tif 000002
【図２】
0003574983.tif 000003
【図３】
0003574983.tif 000004
【図４】
0003574983.tif 000005
【図５】
0003574983.tif 000006
【図６】
0003574983.tif 000007
【図７】
0003574983.tif 000008
【図８】
0003574983.tif 000009